(57)【要約】【課題】高周波に適すると同時に、電気部品の側面に端子が設けられている場合に電気部品と基板とを電気的に確実に接続できる電気部品用ソケットを提供する。【解決手段】ソケット本体１１にコンタクトピンケース３１が水平方向に移動自在に設けられ、電気部品１の側面に設けられた端子１ｃに接触するコンタクトピン３０がコンタクトピンケース３１に水平方向に設けられている。コンタクトピン３０は、ソケット本体１１に上下方向に配設された導通部材１５を介して基板１４に電気的に接続されている。操作部材１２が下降すると、コンタクトピンケース３１が収容部１１ａに近付いて電気部品１の端子１ｃにコンタクトピン３０が接触する。操作部材１２が上昇すると、コンタクトピンケース３１が収容部１１ａから遠ざかって電気部品１の端子１ｃからコンタクトピン３０が離れる。【選択図】図３
2015043277.tif 000002
【特許請求の範囲】
【請求項１】
電気部品が収容される収容部を有するとともに基板上に取り付けられるソケット本体と、前記ソケット本体に対して上下動自在に設けられた操作部材とを備え、
前記ソケット本体にコンタクトピンケースが水平方向に移動自在に設けられ、前記電気部品の側面に設けられた端子に接触するコンタクトピンが前記コンタクトピンケースに水平方向に設けられ、前記コンタクトピンは、前記ソケット本体に上下方向に配設された導通部材を介して前記基板に電気的に接続され、
前記操作部材が下降または上昇の一方の動作を行うと、前記コンタクトピンケースが前記収容部に近付く向きに水平移動して当該収容部に収容された前記電気部品の前記端子に前記コンタクトピンが接触することにより、前記電気部品と前記基板とが電気的に接続するとともに、
前記操作部材が下降または上昇の他方の動作を行うと、前記コンタクトピンケースが前記収容部から遠ざかる向きに水平移動して当該収容部に収容された前記電気部品の前記端子から前記コンタクトピンが離れることにより、前記電気部品と前記基板との電気的な接続が解除されるように構成されていることを特徴とする電気部品用ソケット。
【請求項２】
電気部品が収容される収容部を有するとともに基板上に取り付けられるソケット本体と、前記収容部に収容された前記電気部品を下方に押圧するラッチ部材と、前記ソケット本体に対して上下動自在に設けられた操作部材とを備え、
前記ソケット本体にコンタクトピンケースが水平方向に移動自在に設けられ、前記電気部品の側面に設けられた端子に接触するコンタクトピンが前記コンタクトピンケースに水平方向に設けられ、前記コンタクトピンは、前記ソケット本体に上下方向に配設された導通部材を介して前記基板に電気的に接続され、
前記操作部材が下降または上昇の一方の動作を行うと、前記収容部に収容された前記電気部品を前記ラッチ部材が下方に押圧した後、前記コンタクトピンケースが前記収容部に近付く向きに水平移動して当該収容部に収容された前記電気部品の前記端子に前記コンタクトピンが接触することにより、前記電気部品と前記基板とが電気的に接続するとともに、
前記操作部材が下降または上昇の他方の動作を行うと、前記コンタクトピンケースが前記収容部から遠ざかる向きに水平移動して当該収容部に収容された前記電気部品の前記端子から前記コンタクトピンが離れることにより、前記電気部品と前記基板との電気的な接続が解除された後、前記ラッチ部材による当該電気部品の押圧状態が解除されるように構成されていることを特徴とする電気部品用ソケット。
【請求項３】
前記操作部材が原動カム部を有するとともに、前記コンタクトピンケースが従動カム面を有し、前記操作部材の前記原動カム部が前記コンタクトピンケースの前記従動カム面を摺動することにより、前記操作部材の上下動が前記コンタクトピンケースの水平方向の移動に変換されるように構成されていることを特徴とする請求項１または２に記載の電気部品用ソケット。
【請求項４】
前記操作部材が原動カム部を有するとともに、前記コンタクトピンケースが従動カム面を有し、前記操作部材の前記原動カム部が前記コンタクトピンケースの前記従動カム面を摺動することにより、前記操作部材の上下動が前記コンタクトピンケースの水平方向の移動に変換され、また、前記操作部材が押圧部を有するとともに、前記ラッチ部材が被押圧部を有し、前記操作部材の前記押圧部が前記ラッチ部材の前記被押圧部を押圧することにより、前記ラッチ部材が開放されるように構成されていることを特徴とする請求項２に記載の電気部品用ソケット。
【請求項５】
前記操作部材は、前記基板の下方に配設されていることを特徴とする請求項１乃至４のいずれかに記載の電気部品用ソケット。
【請求項６】
前記電気部品が固体撮像素子であり、該固体撮像素子は、受光面が上方に向けられて前記収容部に収容されることを特徴とする請求項１乃至５のいずれかに記載の電気部品用ソケット。
【請求項７】
請求項６に記載の電気部品用ソケットと、前記収容部の上方に配置されて当該収容部に収容された前記電気部品に向けて光線を照射する光源とを備えていることを特徴とする電気部品の検査システム。
【発明の詳細な説明】
【技術分野】
【０００１】
この発明は、例えば、高周波に適した電気部品用ソケットと、この電気部品用ソケットを用いた電気部品の検査システムとに関するものである。
【背景技術】
【０００２】
従来、電気部品と基板とを電気的に接続するためのコンタクトピン（プローブピン）がソケット本体に配設された電気部品用ソケットとしては、コンタクトピンに可撓性を付与すべく、このコンタクトピンを複雑に湾曲させたものが提案されている（例えば、特許文献１参照）。
【０００３】
ところが、このような電気部品用ソケットでは、コンタクトピンが複雑に湾曲しているため、その全長が必然的に長くなる。その結果、高周波（例えば、周波数１．６ＧＨｚ）の信号特性（応答性）が悪く、高周波の信号による電気部品の検査を良好に行うことができない。
【０００４】
そこで、電気部品用ソケットを高周波に適するようにするため、短い直線棒状のコンタクトピンを基板に上下方向に配設し、このコンタクトピンを介して電気部品と基板とを電気的に接続する方法が考えられる。
【先行技術文献】
【特許文献】
【０００５】
【特許文献１】特開２００８−１３５２１１号公報
【発明の概要】
【発明が解決しようとする課題】
【０００６】
しかしながら、電気部品の端子が底面ではなく側面に設けられている場合には、この端子に直線棒状のコンタクトピンの接触部材を接触させるのが難しいため、このコンタクトピンを介して電気部品と基板とを電気的に確実に接続できなくなる恐れがあった。
【０００７】
そこで、この発明は、高周波に適すると同時に、電気部品の側面に端子が設けられている場合に電気部品と基板とを電気的に確実に接続することが可能な電気部品用ソケット及び電気部品の検査システムを提供することを課題としている。
【課題を解決するための手段】
【０００８】
かかる課題を達成するために、この発明は、電気部品が収容される収容部を有するとともに基板上に取り付けられるソケット本体と、前記ソケット本体に対して上下動自在に設けられた操作部材とを備え、前記ソケット本体にコンタクトピンケースが水平方向に移動自在に設けられ、前記電気部品の側面に設けられた端子に接触するコンタクトピンが前記コンタクトピンケースに水平方向に設けられ、前記コンタクトピンは、前記ソケット本体に上下方向に配設された導通部材を介して前記基板に電気的に接続され、前記操作部材が下降または上昇の一方の動作を行うと、前記コンタクトピンケースが前記収容部に近付く向きに水平移動して当該収容部に収容された前記電気部品の前記端子に前記コンタクトピンが接触することにより、前記電気部品と前記基板とが電気的に接続するとともに、前記操作部材が下降または上昇の他方の動作を行うと、前記コンタクトピンケースが前記収容部から遠ざかる向きに水平移動して当該収容部に収容された前記電気部品の前記端子から前記コンタクトピンが離れることにより、前記電気部品と前記基板との電気的な接続が解除されるように構成されている電気部品用ソケットとしたことを特徴とする。
【０００９】
また、この発明は、電気部品が収容される収容部を有するとともに基板上に取り付けられるソケット本体と、前記収容部に収容された前記電気部品を下方に押圧するラッチ部材と、前記ソケット本体に対して上下動自在に設けられた操作部材とを備え、前記ソケット本体にコンタクトピンケースが水平方向に移動自在に設けられ、前記電気部品の側面に設けられた端子に接触するコンタクトピンが前記コンタクトピンケースに水平方向に設けられ、前記コンタクトピンは、前記ソケット本体に上下方向に配設された導通部材を介して前記基板に電気的に接続され、前記操作部材が下降または上昇の一方の動作を行うと、前記収容部に収容された前記電気部品を前記ラッチ部材が下方に押圧した後、前記コンタクトピンケースが前記収容部に近付く向きに水平移動して当該収容部に収容された前記電気部品の前記端子に前記コンタクトピンが接触することにより、前記電気部品と前記基板とが電気的に接続するとともに、前記操作部材が下降または上昇の他方の動作を行うと、前記コンタクトピンケースが前記収容部から遠ざかる向きに水平移動して当該収容部に収容された前記電気部品の前記端子から前記コンタクトピンが離れることにより、前記電気部品と前記基板との電気的な接続が解除された後、前記ラッチ部材による当該電気部品の押圧状態が解除されるように構成されている電気部品用ソケットとしたことを特徴とする。
【００１０】
他の特徴は、前記操作部材が原動カム部を有するとともに、前記コンタクトピンケースが従動カム面を有し、前記操作部材の前記原動カム部が前記コンタクトピンケースの前記従動カム面を摺動することにより、前記操作部材の上下動が前記コンタクトピンケースの水平方向の移動に変換されるように構成されていることにある。
【００１１】
他の特徴は、前記操作部材が原動カム部を有するとともに、前記コンタクトピンケースが従動カム面を有し、前記操作部材の前記原動カム部が前記コンタクトピンケースの前記従動カム面を摺動することにより、前記操作部材の上下動が前記コンタクトピンケースの水平方向の移動に変換され、また、前記操作部材が押圧部を有するとともに、前記ラッチ部材が被押圧部を有し、前記操作部材の前記押圧部が前記ラッチ部材の前記被押圧部を押圧することにより、前記ラッチ部材が開放されるように構成されていることにある。
【００１２】
他の特徴は、前記操作部材は、前記基板の下方に配設されていることにある。
【００１３】
他の特徴は、前記電気部品が固体撮像素子であり、該固体撮像素子は、受光面が上方に向けられて前記収容部に収容されることにある。
【００１４】
他の発明は、上記電気部品用ソケットと、前記収容部の上方に配置されて当該収容部に収容された前記電気部品に向けて光線を照射する光源とを備えている電気部品の検査システムとしたことを特徴とする。
【発明の効果】
【００１５】
この発明によれば、複雑に湾曲したコンタクトピンを用いる必要がなく、コンタクトピンと導通部材との全長を短くすることができる。したがって、高周波の信号特性が良く、高周波の信号による電気部品の検査を良好に行うことが可能となる。しかも、コンタクトピンが水平方向に設けられているので、電気部品の側面に端子が設けられている場合に、この端子にコンタクトピンの接触部材を容易に接触させることができる。したがって、コンタクトピンと導通部材を介して電気部品と基板とを電気的に確実に接続することが可能となる。これらの結果、高周波に適すると同時に、電気部品の側面に端子が設けられている場合に電気部品と基板とを電気的に確実に接続することが可能な電気部品用ソケットを提供することができる。
【００１６】
他の特徴によれば、操作部材の上下動によってコンタクトピンを進退させることができるため、ソケット本体の収容部に電気部品を円滑に収容することが可能となる。
【００１７】
他の特徴によれば、操作部材の操作（上下動）だけで、コンタクトピンを進退させるとともに、ラッチ部材を開閉することができるため、電気部品用ソケットの操作性が良好となる。
【００１８】
他の特徴によれば、操作部材が基板の下方、つまりソケット本体の下方に配設されているので、光源がソケット本体の収容部の上方に配置されている場合でも、操作部材の操作（上下動）を支障なく実行することができる。
【００１９】
他の特徴によれば、固体撮像素子は、受光面が上方に向けられて収容部に収容されることから、光源が収容部の上方に配置されている場合でも、この光源からの光線を効率よく受光することができる。
【００２０】
他の発明によれば、上述した効果を奏する電気部品用ソケットを備えた電気部品の検査システムを提供することができる。
【図面の簡単な説明】
【００２１】
【図１】この発明の実施の形態１に係る電気部品用ソケットの平面図である。
【図２】図１に示す電気部品用ソケットのＡ−Ａ断面図である。
【図３】図１に示す電気部品用ソケットのＢ−Ｂ断面図である。
【図４】図３に示す電気部品用ソケットのコンタクトピン回りを示す拡大断面図である。
【図５】同実施の形態１に係る固体撮像素子を示す図であって、（ａ）はその正面図、（ｂ）はその底面図である。
【図６】同実施の形態１に係る基板の平面図である。
【図７】同実施の形態１に係る電気部品用ソケットの第１の状態（開閉ブロックが最下位に位置している状態）を示す図であって、（ａ）はその平面図、（ｂ）は（ａ）のＣ−Ｃ断面図である。
【図８】同実施の形態１に係る電気部品用ソケットの第２の状態（開閉ブロックが最下位から少し上昇した状態）を示す図であって、（ａ）はその平面図、（ｂ）は（ａ）のＣ−Ｃ断面図である。
【図９】同実施の形態１に係る電気部品用ソケットの第３の状態（開閉ブロックがさらに上昇した状態）を示す図であって、（ａ）はその平面図、（ｂ）は（ａ）のＣ−Ｃ断面図である。
【図１０】同実施の形態１に係る電気部品用ソケットのソケット本体を示す図であって、（ａ）はその平面図、（ｂ）は（ａ）のＤ−Ｄ断面図である。
【図１１】同実施の形態１に係る電気部品用ソケットのガイドプレートを示す図であって、（ａ）はその平面図、（ｂ）は（ａ）のＥ−Ｅ断面図である。
【図１２】同実施の形態１に係る電気部品用ソケットのガイド部材を示す図であって、（ａ）はその平面図、（ｂ）は（ａ）のＦ−Ｆ断面図、（ｃ）は（ａ）のＧ−Ｇ断面図である。
【図１３】同実施の形態１に係る電気部品用ソケットのコンタクトピンケースを示す図であって、（ａ）はその平面図、（ｂ）はその正面図、（ｃ）は（ａ）のＨ−Ｈ断面図である。
【図１４】同実施の形態１に係る電気部品用ソケットの開閉ブロックを示す図であって、（ａ）はその平面図、（ｂ）はその正面図、（ｃ）は（ａ）のＩ−Ｉ断面図である。
【図１５】同実施の形態１に係る電気部品用ソケットのラッチ部材を示す図であって、（ａ）はその平面図、（ｂ）はその正面図、（ｃ）はその右側面図、（ｄ）は（ａ）のＪ−Ｊ断面図である。
【図１６】同実施の形態１に係る電気部品用ソケットの導通部材を示す図であって、（ａ）はその平面図、（ｂ）はその正面図である。
【図１７】同実施の形態１に係るサポートフィルムの平面図である。
【発明を実施するための形態】
【００２２】
以下、この発明の実施の形態について説明する。
［発明の実施の形態１］
図１乃至図１７には、この発明の実施の形態１を示す。
【００２３】
まず、構成を説明すると、図２中符号８は、電気部品である固体撮像素子１の検査システムで、この検査システム８は、電気部品用ソケット１０と、この電気部品用ソケット１０の収容部１１ａの上方に配置されて収容部１１ａに収容された固体撮像素子１に向けて光線を照射する光源２とを備えて構成されている。なお、固体撮像素子１は、ＣＣＤイメージセンサーであるとＣＭＯＳイメージセンサーであるとを問わず、また、リニアイメージセンサー（一次元イメージセンサー）であるとエリアイメージセンサー（二次元イメージセンサー）であるとを問わない。
【００２４】
この固体撮像素子１は、図５に示すように、直方体状の素子本体１ａを有しており、素子本体１ａには、その底面に端子１ｂが１つ設けられているとともに、４つの側面に端子１ｃが３個ずつ設けられている。さらに、素子本体１ａの上面には、受光面１ｄが設けられている。
【００２５】
また、電気部品用ソケット１０は、図１〜図３に示すように、固体撮像素子１の検査に際して、この固体撮像素子１と基板１４との電気的な接続を図るものである。この電気部品用ソケット１０は、固体撮像素子１が収容される収容部１１ａを有するとともに基板１４上に取り付けられるソケット本体１１と、このソケット本体１１の上側に４本のねじ９で固定されたガイドプレート１３と、ソケット本体１１およびガイドプレート１３に対して上下動自在に設けられた操作部材としての開閉ブロック１２とを備えている。
【００２６】
ソケット本体１１は、図１０に示すように、平板状の板状部１１ｅを有しており、板状部１１ｅの下面中央には円柱状のボス部１１ｂが下向き（図１０（ｂ）右向き）に突設されている。ボス部１１ｂにはピン嵌合孔１１ｃが上下方向に貫通して形成されており、ピン嵌合孔１１ｃには、図３に示すように、直線棒状のコンタクトピン４０が嵌合して上下方向に取り付けられている。
【００２７】
また、ソケット本体１１の板状部１１ｅの上面中央には、図１０に示すように、固体撮像素子１が収容される収容部１１ａが設けられているとともに、略十字形の座繰り部１１ｄが形成されている。また、板状部１１ｅには、４つの押上棒遊挿孔１１ｆが、収容部１１ａを取り囲む形で上下方向（図１０（ａ）紙面に垂直な方向）に貫通して形成されている。
【００２８】
そして、ソケット本体１１の座繰り部１１ｄには、図７〜図９に示すように、４個のコンタクトピンケース３１が、それぞれ水平方向（収容部１１ａに近付く向き及び収容部１１ａから遠ざかる向き）に摺動自在に載置されている。各コンタクトピンケース３１はそれぞれ、図１３に示すように、略五角形平板状のケース本体３１ａを有しており、ケース本体３１ａのほぼ中央には、導通部材挿通孔３１ｂが上下方向に貫通して形成されている。ケース本体３１ａの上面には、４本の長円形のガイド溝３１ｄが形成されている。また、ケース本体３１ａには一対の張出部３１ｅが両側（図１３（ａ）上下両側）に張り出すように一体に形成されており、各張出部３１ｅにはそれぞれ、従動カム面３１ｆが鉛直面に対して約４５°傾いて形成されている。また、ケース本体３１ａの先端部（図１３右側の端部）には、一対の接触面３１ｇが、コンタクトピンケース３１の摺動方向（図１３左右方向）に対して４５°傾斜し、かつ互いに直交するように形成されている。さらに、ケース本体３１ａの先端部には、３つのピン嵌合孔３１ｃが水平方向（コンタクトピンケース３１の摺動方向）に貫通して形成されており、各ピン嵌合孔３１ｃにはそれぞれ、直線棒状のコンタクトピン３０が嵌合して水平方向に取り付けられている。
【００２９】
ここで、これら３本のコンタクトピン３０は、互いに平行になっている。また、各コンタクトピン３０はそれぞれ、図４に示すように、２つの接触部材３０ａ、３０ｂがバレル３０ｃに対して摺動自在に保持され、バレル３０ｃ内に図示省略のスプリングが両方の接触部材３０ａ、３０ｂを互いに離れる方向へ弾性的に付勢するように配設された両端摺動型である。そして、一方（図４右側）の接触部材３０ａが導通部材挿通孔３１ｂに突出して、後述する導通部材１５の頭部１５ｂに接触するとともに、他方（図４左側）の接触部材３０ｂがケース本体３１ａの先端側の空間に突出して固体撮像素子１の側面の端子１ｃに接触するようになっている。
【００３０】
また、ソケット本体１１の板状部１１ｅには、図３に示すように、１２本の金属ピンなどの導通部材１５が上下方向（図３左右方向）に配設されており、各導通部材１５は、図１６に示すように、丸棒状の基部１５ａの上側に立方体状の頭部１５ｂが一体に形成された構造を有している。ここで、各導通部材１５は、図３、図４に示すように、基部１５ａが板状部１１ｅに上下方向に埋設されるとともに、頭部１５ｂが各コンタクトピン３０の一方の接触部材３０ａに１対１で接触した状態になっている。
【００３１】
また、ソケット本体１１の板状部１１ｅには、図３、図１０に示すように、２本の基準ピン２２が圧入される２つの基準ピン挿通孔１１ｇが上下方向に貫通して形成されている。さらに、ソケット本体１１の板状部１１ｅには、その４つの隅角部の近傍に、４本の固定ねじ２１が挿通される４つの固定ねじ挿通孔１１ｈが上下方向に貫通して形成されている。
【００３２】
また、ガイドプレート１３は、図１１に示すように、平板状のプレート本体１３ａを有しており、プレート本体１３ａの中央には、固体撮像素子１を挿通するための素子挿通孔１３ｂが、上下方向（図１１（ａ）紙面に垂直な方向）に貫通して形成されている。プレート本体１３ａの上面には、ガイド受け溝１３ｃが形成されており、ガイド受け溝１３ｃには、図１に示すように、ガイド部材１８が搭載されている。このガイド部材１８は、図１２に示すように、略長方形板状のガイド基板１８ａのほぼ中央に、固体撮像素子１を挿通するための素子挿通孔１８ｂが上下方向（図１２（ａ）紙面に垂直な方向）に貫通して形成され、素子挿通孔１８ｂの周囲にガイド面１８ｃが鉛直面に対して約４５°傾いて形成された構造を有している。
【００３３】
さらに、ガイドプレート１３のプレート本体１３ａには、図１１に示すように、４つの押上棒遊挿孔１３ｄが、素子挿通孔１３ｂを取り囲む形で上下方向（図１１（ａ）紙面に垂直な方向）に貫通して形成されている。また、プレート本体１３ａには、左右一対のラッチ収容孔１３ｅが、素子挿通孔１３ｂを挟んで対向する形で上下方向に貫通して形成されており、各ラッチ収容孔１３ｅにはそれぞれ、図１に示すように、ラッチ部材１９が収容されている。
【００３４】
各ラッチ部材１９はそれぞれ、図１５に示すように、ラッチ本体１９ａを有しており、ラッチ本体１９ａの下面には、上下一対の被押圧部１９ｄが下向きに突設されている。また、ラッチ本体１９ａには、その先端に素子押さえ部１９ｂが下向きに形成されているとともに、後端にラッチピン挿通孔１９ｃが水平方向に貫通して形成されている。ラッチピン挿通孔１９ｃには、図１に示すように、丸棒状のラッチピン２５が水平方向（図１上下方向）に挿通されている。そして、ラッチ部材１９はラッチピン２５を中心として回転自在に支持されており、ラッチピン２５にはスプリング２６が、ラッチ部材１９を閉じる向き（図２矢印Ｎ方向）に弾性的に付勢するように取り付けられている。
【００３５】
なお、各ラッチ部材１９の近傍にはそれぞれ、図１、図３に示すように、ラッチ押さえ板２０が、各ラッチピン２５の両端を上から押さえ付ける形で２本のビス２３によってプレート本体１３ａに固定されている。
【００３６】
また、ガイドプレート１３のプレート本体１３ａには、図３、図１１に示すように、２本の基準ピン２２が圧入される２つの基準ピン挿通孔１３ｆが上下方向（図１１（ａ）紙面に垂直な方向）に貫通して形成されている。さらに、ガイドプレート１３のプレート本体１３ａには、その４つの隅角部の近傍に、４本の固定ねじ２１が螺合する４つの雌ねじ部１３ｈが上下方向に貫通して形成されている。
【００３７】
また、ガイドプレート１３の上面には、図１に示すように、ポリプロピレン製のサポートフィルム２７が、ガイド部材１８の上面を覆うように２本のねじ２８で取り付けられている。すなわち、ガイドプレート１３のプレート本体１３ａには、図１１に示すように、２本の雌ねじ部１３ｉが、素子挿通孔１３ｂを挟んで対向する形で上下方向に貫通して形成されている。一方、サポートフィルム２７は、図１７に示すように、長方形シート状のフィルム本体２７ａを有しており、フィルム本体２７ａの中央部には、略十字形の素子挿通孔２７ｂが、フィルム本体２７ａの厚さ方向に貫通して形成されている。また、フィルム本体２７ａには、８個の素子支持片２７ｃが素子挿通孔２７ｂに臨むように形成されている。さらに、フィルム本体２７ａには、２つの丸孔２７ｄが素子挿通孔２７ｂを挟んで対向する形でフィルム本体２７ａの厚さ方向（図１７紙面に垂直な方向）に貫通して形成されている。そして、このサポートフィルム２７がガイド部材１８上に載置された状態で、２本のねじ２８がサポートフィルム２７の２つの丸孔２７ｄを通ってガイドプレート１３の２本の雌ねじ部１３ｉに螺着されることにより、ガイドプレート１３の上面にサポートフィルム２７がガイド部材１８の上面を覆うように取り付けられている。
【００３８】
また、開閉ブロック１２は、図１４に示すように、平板状のブロック本体１２ａを有しており、ブロック本体１２ａの中央には、ソケット本体１１のボス部１１ｂを挿通するためのボス挿通孔１２ｂが、上下方向に貫通して形成されている。ブロック本体１２ａの上面には、４本の溝１２ｃがボス挿通孔１２ｂからブロック本体１２ａの４辺に延びるように形成されているとともに、４本の略六角柱状の押上棒１２ｄが、図１に示すように、ソケット本体１１の４つの押上棒遊挿孔１１ｆに遊挿されるように立設されている。各押上棒１２ｄの上部にはそれぞれ、原動カム部１２ｆおよび押圧部１２ｇが設けられている。
【００３９】
そして、この開閉ブロック１２は、図１〜図３に示すように、４本のガイドシャフト１６および４本のコイルスプリング１７により、ガイドプレート１３に対して所定のストロークだけ上下動自在に設けられている。すなわち、開閉ブロック１２のブロック本体１２ａの４つの頂点近傍には、図１４に示すように、４つの段付き孔１２ｅが上下方向（図１４（ａ）紙面に垂直な方向）に貫通して形成されている。一方、ソケット本体１１の板状部１１ｅには、図１０に示すように、４つのシャフト遊挿孔１１ｉが上下方向に貫通して形成されている。また、ガイドプレート１３には、図１１に示すように、４つの雌ねじ部１３ｇが上下方向に貫通して形成されている。そして、図１〜図３に示すように、開閉ブロック１２とソケット本体１１およびガイドプレート１３との間には、４本のガイドシャフト１６および４本のコイルスプリング１７が取り付けられている。ここで、各ガイドシャフト１６はそれぞれ、図３に示すように、後端のフランジ部１６ａが開閉ブロック１２の段付き孔１２ｅに係合し、丸棒状の軸部１６ｂがソケット本体１１のシャフト遊挿孔１１ｉに遊挿され、先端の雄ねじ部１６ｃがガイドプレート１３の雌ねじ部１３ｇに螺合した状態になっている。さらに、各ガイドシャフト１６の軸部１６ｂの周囲にはそれぞれ、コイルスプリング１７が、開閉ブロック１２とガイドプレート１３とを互いに離れる向き（上下方向）に弾性的に付勢するように取り付けられている。したがって、開閉ブロック１２は、ガイドプレート１３に対して所定のストロークだけ上下動自在になっている。
【００４０】
さらに、基板１４には、図６に示すように、ソケット本体１１のボス部１１ｂが挿通されるボス挿通孔１４ａと、開閉ブロック１２の４本の押上棒１２ｄが遊挿される４つの押上棒遊挿孔１４ｂと、４本のガイドシャフト１６および４本のコイルスプリング１７が遊挿される４つのシャフト遊挿孔１４ｃと、４本の固定ねじ２１（図３参照）が挿通される４つの固定ねじ挿通孔１４ｄと、２本の基準ピン２２（図３参照）が圧入される２つの基準ピン挿通孔１４ｅと、１２本の導通部材１５が挿通される１２個の導通部材挿通孔１４ｆとが、いずれも上下方向（図６紙面に垂直な方向）に貫通して形成されている。
【００４１】
次に、この発明の実施の形態１に係る電気部品用ソケット１０の作用及び固体撮像素子１の検査方法について、図３、図７〜図９を用いて説明する。なお、図７（ａ）、図８（ａ）及び図９（ａ）では、４個のコンタクトピンケース３１の動作をわかりやすく図示するため、ガイドプレート１３等の図示を省いている。
【００４２】
まず、電気部品用ソケット１０のソケット本体１１を基板１４上の所定の位置に取り付ける。それには、図３に示すように、ガイドプレート１３の２つの基準ピン挿通孔１３ｆ、ソケット本体１１の２つの基準ピン挿通孔１１ｇおよび基板１４の２つの基準ピン挿通孔１４ｅに２本の基準ピン２２を圧入した後、４本の固定ねじ２１を基板１４の４つの固定ねじ挿通孔１４ｄおよびソケット本体１１の４つの固定ねじ挿通孔１１ｈに挿通してガイドプレート１３の４つの雌ねじ部１３ｈに螺着する。これにより、基板１４上にソケット本体１１およびガイドプレート１３を正確に位置決めした状態で取り付けることができる。
【００４３】
このとき、電気部品用ソケット１０は、図７に示すように、４本のコイルスプリング１７の弾性力により、開閉ブロック１２が最下方位置に位置決めされている。また、４個のコンタクトピンケース３１は、いずれも、図４に示すように、コンタクトピンケース３１に取り付けられたコンタクトピン３０の接触部材３０ａが、ソケット本体１１に配設された導通部材１５の頭部１５ｂを水平方向に押す作用の反作用を受けて、ソケット本体１１の収容部１１ａに近付く向きに水平移動し、一対の接触面３１ｇが互いに接触した状態となっている。さらに、左右一対のラッチ部材１９は、いずれも、スプリング２６の弾性力により、矢印Ｎ方向に閉じた状態となっている。
【００４４】
この状態で、図示省略の自動機により、開閉ブロック１２をスプリング２６の弾性力に抗して上昇させる。すると、開閉ブロック１２の４本の押上棒１２ｄの原動カム部１２ｆが４個のコンタクトピンケース３１の従動カム面３１ｆを上向きに摺動する。その結果、図８に示すように、４個のコンタクトピンケース３１がソケット本体１１の収容部１１ａから遠ざかる向きに水平移動して、ソケット本体１１の収容部１１ａの上方が大きく開放された状態となる。
【００４５】
その後、開閉ブロック１２をさらに上昇させる。すると、開閉ブロック１２の４本の押上棒１２ｄの押圧部１２ｇが左右一対のラッチ部材１９の上下一対の被押圧部１９ｄを上向きに押圧する。その結果、図９に示すように、ソケット本体１１の収容部１１ａの上方が大きく開放された状態を維持したまま、左右一対のラッチ部材１９がスプリング２６の弾性力に抗して矢印Ｍ方向に開いた状態となる。
【００４６】
このとき、各ラッチ部材１９は、その左右に張り出した２つの被押圧部１９ｄが開閉ブロック１２の２つの押上棒１２ｄによって押し上げられるので、左右に傾くことなく安定して開放されることになる。
【００４７】
この状態で、ソケット本体１１の収容部１１ａに、その上方からガイド部材１８の素子挿通孔１８ｂを経て固体撮像素子１を収容する。この際、固体撮像素子１の受光面１ｄを上方に向ける。すると、固体撮像素子１の底面の端子１ｂがコンタクトピン４０の上端部に接触した状態となる。
【００４８】
このとき、電気部品用ソケット１０は、ソケット本体１１の収容部１１ａの上方が大きく開放されているとともに、左右一対のラッチ部材１９が開いているため、固体撮像素子１の収容動作を円滑に実行することができる。また、ガイド部材１８の素子挿通孔１８ｂの周囲には、上述したとおり、ガイド面１８ｃが鉛直面に対して約４５°傾いて形成されているので、このガイド面１８ｃに沿って固体撮像素子１を案内して所定の位置に収容することができる。さらに、ガイドプレート１３の上面には、上述したとおり、サポートフィルム２７がガイド部材１８の上面を覆うように取り付けられているので、固体撮像素子１は、図１７に想像線で示すように、サポートフィルム２７の８個の素子支持片２７ｃによって側面が支持される。そのため、固体撮像素子１が腰高であっても、その固体撮像素子１が傾くのを防止することが可能となる。
【００４９】
その後、開閉ブロック１２を下降させる。この場合には、前記自動機による動作を解除すれば、コイルスプリング１７の弾性力により、開閉ブロック１２を下降させることができる。すると、それまでラッチ部材１９の被押圧部１９ｄを押圧していた押上棒１２ｄの押圧部１２ｇも下降するので、スプリング２６の弾性力により、図８に示すように、左右一対のラッチ部材１９が矢印Ｎ方向に閉じる。その結果、固体撮像素子１が左右一対のラッチ部材１９によって下方に押圧されて固定された状態となる。
【００５０】
その後、開閉ブロック１２をさらに下降させる。すると、それまでコンタクトピンケース３１をソケット本体１１の収容部１１ａから遠ざかる向きに水平移動させていた押上棒１２ｄの原動カム部１２ｆが下に抜けるので、コンタクトピン３０の接触部材３０ａが導通部材１５の頭部１５ｂを水平方向に押す作用の反作用により、図７に示すように、４個のコンタクトピンケース３１がソケット本体１１の収容部１１ａに近付く向きに水平移動し、一対の接触面３１ｇが互いに接触する。その結果、各コンタクトピン３０の他方の接触部材３０ｂが固体撮像素子１の側面の端子１ｃに接触し、固体撮像素子１と基板１４とが電気的に接続する。
【００５１】
この状態で、この固体撮像素子１の受光面１ｄに向けて光源２から光線を照射することにより、固体撮像素子１を検査する。このとき、固体撮像素子１は、上述したとおり、受光面１ｄを上方、つまり光源２側に向けてソケット本体１１の収容部１１ａに収容されているので、光源２が収容部１１ａの上方に配置されている場合でも、この光源２からの光線を効率よく受光することができる。その結果、固体撮像素子１の検査を円滑に行うことが可能となる。
【００５２】
また、固体撮像素子１の検査が終了したら、この固体撮像素子１をソケット本体１１の収容部１１ａから取り外すべく、開閉ブロック１２をスプリング２６の弾性力に抗して上昇させる。すると、４個のコンタクトピンケース３１がソケット本体１１の収容部１１ａから遠ざかる向きに水平移動して、固体撮像素子１の側面の端子１ｃからコンタクトピン３０が離れることにより、固体撮像素子１と基板１４との電気的な接続が解除されるとともに、ソケット本体１１の収容部１１ａの上方が大きく開放される。さらに、左右一対のラッチ部材１９がスプリング２６の弾性力に抗して矢印Ｍ方向に開き、ラッチ部材１９による固体撮像素子１の押圧状態が解除される。この状態で、ソケット本体１１の収容部１１ａから固体撮像素子１を取り外す。
【００５３】
最後に、開閉ブロック１２を下降させる。すると、上述したとおり、左右一対のラッチ部材１９が閉じた後、４個のコンタクトピンケース３１がソケット本体１１の収容部１１ａに近付く向きに水平移動し、一対の接触面３１ｇが互いに接触する。ここで、固体撮像素子１の検査が完了する。
【００５４】
このような電気部品用ソケット１０においては、複雑に湾曲したコンタクトピン３０を用いる必要がなく、コンタクトピン３０と導通部材１５との全長を短くすることができる。したがって、高周波の信号特性が良く、高周波の信号による固体撮像素子１の検査を良好に行うことが可能となる。しかも、コンタクトピン３０が水平方向に設けられているので、固体撮像素子１の側面に端子１ｃが設けられている場合に、この端子１ｃにコンタクトピン３０の接触部材３０ｂを容易に接触させることができる。したがって、コンタクトピン３０と導通部材１５を介して固体撮像素子１と基板１４とを電気的に確実に接続することが可能となる。これらの結果、高周波に適すると同時に、固体撮像素子１の側面に端子１ｃが設けられている場合に固体撮像素子１と基板１４とを電気的に確実に接続することが可能な電気部品用ソケット１０を提供することができる。
【００５５】
また、開閉ブロック１２の上下動によってコンタクトピン３０を進退させることができるため、ソケット本体１１の収容部１１ａに固体撮像素子１を円滑に収容することが可能となる。
【００５６】
また、開閉ブロック１２の操作（上下動）だけで、コンタクトピン３０を進退させるとともに、ラッチ部材１９を開閉することができるため、電気部品用ソケット１０の操作性が良好となる。
【００５７】
さらに、開閉ブロック１２が基板１４の下方、つまりソケット本体１１の下方に配設されているので、光源２がソケット本体１１の収容部１１ａの上方に配置されている場合でも、開閉ブロック１２の操作（上下動）を支障なく実行することができる。また、開閉ブロック１２が基板１４の下方に配設されているため、基板１４より上方が大きく突出しない利点もある。
［発明のその他の実施の形態］
なお、上記実施の形態１では、開閉ブロック１２が下降すると、コンタクトピン３０の接触部材３０ｂが固体撮像素子１の側面の端子１ｃに接触するとともに、開閉ブロック１２が上昇すると、コンタクトピン３０の接触部材３０ｂが固体撮像素子１の側面の端子１ｃから離れるように構成された電気部品用ソケット１０について説明した。しかし、逆に、開閉ブロック１２が上昇すると、コンタクトピン３０の接触部材３０ｂが固体撮像素子１の側面の端子１ｃに接触するとともに、開閉ブロック１２が下降すると、コンタクトピン３０の接触部材３０ｂが固体撮像素子１の側面の端子１ｃから離れるように構成しても構わない。
【００５８】
また、上記実施の形態１では、操作部材として開閉ブロック１２を備えた電気部品用ソケット１０について説明したが、開閉ブロック１２以外の操作部材を代用することもできる。
【００５９】
また、上記実施の形態１では、ガイドプレート１３を備えた電気部品用ソケット１０について説明したが、ガイドプレート１３が存在しないものにもこの発明を適用することができる。
【００６０】
また、上記実施の形態１では、４個のコンタクトピンケース３１にコンタクトピン３０が３本ずつ取り付けられた電気部品用ソケット１０について説明した。しかし、各コンタクトピンケース３１に取り付けるコンタクトピン３０の本数は、検査すべき固体撮像素子１の側面の端子１ｃの数に応じて適宜増減させればよいことは言及するまでもない。
【００６１】
また、上記実施の形態１では、２つの接触部材３０ａ、３０ｂの双方がバレル３０ｃに対して摺動自在に保持された両端摺動型のコンタクトピン３０について説明したが、２つの接触部材３０ａ、３０ｂの一方がバレル３０ｃに対して摺動自在に保持されるとともに、他方がバレル３０ｃに固定された片端摺動型のコンタクトピン３０を代用することも可能である。
【００６２】
さらに、上記実施の形態１では、固体撮像素子１の検査に用いられる電気部品用ソケット１０について説明した。しかし、電気部品用ソケット１０は、固体撮像素子１以外の電気部品、例えば、半導体装置（ＩＣパッケージ）等の検査に用いることも可能である。
【符号の説明】
【００６３】
1  固体撮像素子（電気部品）
1c 端子
2  光源
8  固体撮像素子の検査システム
11  ソケット本体
11a 収容部
12  操作部材（開閉ブロック）
12f 原動カム部
12g 押圧部
13  ガイドプレート
14  基板
15  導通部材
19  ラッチ部材
19d 被押圧部
30  コンタクトピン
31  コンタクトピンケース
31f 従動カム面
【図１】
2015043277.tif 000003
【図２】
2015043277.tif 000004
【図３】
2015043277.tif 000005
【図４】
2015043277.tif 000006
【図５】
2015043277.tif 000007
【図６】
2015043277.tif 000008
【図７】
2015043277.tif 000009
【図８】
2015043277.tif 000010
【図９】
2015043277.tif 000011
【図１０】
2015043277.tif 000012
【図１１】
2015043277.tif 000013
【図１２】
2015043277.tif 000014
【図１３】
2015043277.tif 000015
【図１４】
2015043277.tif 000016
【図１５】
2015043277.tif 000017
【図１６】
2015043277.tif 000018
【図１７】
2015043277.tif 000019